(57)【要約】【課題】取水配管内に残り湯が残水として残ることにより、取水配管に残り湯中の汚れ成分が付着してしまうのを防止することができる浴槽の残り湯利用装置を提供する。【解決手段】浴室１内に設置される浴槽２の底面に取水口２１を形成すると共に、ポンプを内蔵し取水を行う機器（洗濯機３）が設置される部屋４の壁４０に取出口４１を形成し、取水口２１と取出口４１との間に接続される取水配管５を壁４０内又は／及び床下に配設し、前記機器の給水口３１と取出口４１との間に配管３２を接続し、ポンプの空運転を検知する空運転検知手段を設け、空運転検知手段が空運転を検知した時に、浴槽２に給水を行う給水手段６を設けた。【選択図】図１
2010053543.tif 000002
【特許請求の範囲】
【請求項１】
浴室内に設置される浴槽の底面に取水口を形成すると共に、ポンプを内蔵し取水を行う機器が設置される部屋の壁に取出口を形成し、取水口と取出口との間に接続される取水配管を壁内又は／及び床下に配設し、前記機器の給水口と取出口との間に配管を接続し、ポンプの空運転を検知する空運転検知手段を設け、空運転検知手段が空運転を検知した時に、浴槽に給水を行う給水手段を設けて成ることを特徴とする浴槽の残り湯利用装置。
【発明の詳細な説明】
【技術分野】
【０００１】
本発明は、浴槽の残り湯を利用するための装置に関するものである。
【背景技術】
【０００２】
従来より、ポンプを内蔵し取水を行う機器により、浴槽の残り湯を洗濯や便器の洗浄に利用することが行われており、前記機器として洗濯機が好適に挙げられる。
【０００３】
洗濯機にはポンプが内蔵してあり、洗濯機の給水口に接続されるホースの先端の取水口を浴槽の残り湯中に浸し、ポンプの駆動力により残り湯を洗濯機内に取り込んで、洗濯に利用する。洗濯機は、浴室内ではなく、更衣室等の別の部屋やあるいは室外に設置され、ホースは、使用時に洗濯機と浴槽との間に這設され、非使用時には一箇所にまとめて収納される。
【０００４】
この従来例にあっては、洗濯を行う度にホースを取り出して洗濯機と浴槽との間に這設する必要があり、更に、ホースは浴室と浴室外とに亘って這設するため、ホースを浴室出入口に挿通させる必要があり、使用時に浴室ドアを閉めることができないという問題があった。
【０００５】
そこで、上記のようなホースを用いずに浴槽の残り湯を取り込むための配管を設けたものが開発されている（例えば特許文献１参照）。
【特許文献１】実開平５−５５９８０号公報
【発明の開示】
【発明が解決しようとする課題】
【０００６】
これは、浴槽の底面に取水口を形成すると共に、洗濯機が設置される部屋の壁（洗濯機が室外に設置される場合には外壁）に取出口を形成し、取水口と取出口との間に接続される取水配管を、床下や壁内に配設したものである。洗濯機の給水口と取出口との間にはホースのような配管を接続する。これにより、上記のようなホースを用いることなく取水配管を介して浴槽の残り湯を取り込むことが可能となり、上述した問題が解決される。
【０００７】
しかしながら、この場合、取水配管内に浴槽の残り湯が残水として残ってしまう。すなわち、通常、取水配管は立ち上げ配管となると共に多くの屈曲部を有していて、浴槽内に残り湯がない状態でポンプを駆動してもエアがみが発生して、取水配管内にある残り湯を全て取り込むことができず、残水として残ってしまうものであった。
【０００８】
取水配管内に残り湯が残水として残ることにより、取水配管に残り湯中の汚れ成分が付着してしまう、という問題があった。
【０００９】
本発明は上記従来の問題点に鑑みて発明したものであって、その目的とするところは、取水配管内に残り湯が残水として残ることにより、取水配管に残り湯中の汚れ成分が付着してしまうのを防止することができる浴槽の残り湯利用装置を提供することを課題とするものである。
【課題を解決するための手段】
【００１０】
上記課題を解決するために請求項１に係る浴槽２の残り湯利用装置にあっては、浴室１内に設置される浴槽２の底面に取水口２１を形成すると共に、ポンプを内蔵し取水を行う機器（洗濯機３）が設置される部屋４の壁４０に取出口４１を形成し、取水口２１と取出口４１との間に接続される取水配管５を壁４０内又は／及び床下に配設し、前記機器の給水口３１と取出口４１との間に配管３２を接続し、ポンプの空運転を検知する空運転検知手段を設け、空運転検知手段が空運転を検知した時に、浴槽２に給水を行う給水手段６を設けて成ることを特徴とするものである。
【発明の効果】
【００１１】
本発明にあっては、空運転検知手段が空運転を検知すると、給水手段により浴槽に給水が行われるため、ポンプのエアがみがなくなって取水配管内の残り湯が全て機器に取り込まれ、取水配管に残り湯中の汚れ成分が付着してしまうのを防止することができる。
【発明を実施するための最良の形態】
【００１２】
以下、本発明の一実施形態について添付図面に基づいて説明する。
【００１３】
ポンプを内蔵し取水を行う機器は、本実施形態では洗濯機３として説明するが、洗濯機３に限定されないものである。
【００１４】
浴槽２は浴室１内に設置されるもので、浴室１は、建物躯体の床、壁、天井に囲まれたものや、建物の浴室スペースに設置される浴室ユニットであってもよい。浴槽２の底面には取水口２１が形成される。本実施形態では、図示しないが、浴槽２の底面の取水口２１の内端縁にパッキンを介して取水口部材を水密的に締結してあり、取水口部材にスポンジ等からなるフィルタが着脱自在に取り付けてある。着脱自在なフィルタを設けたことで、毛髪等の異物を捕捉して取水口２１内に入るのを防止すると共に、捕捉した異物の除去がし易いものである。また取水口部材には、取水口２１を閉塞する蓋部材が着脱自在に取り付けられる。浴槽２の底面に取水口２１が形成されることで、浴槽２内の残り湯全てを取水口２１内に導入可能となる。また、浴槽２の底面には取水口２１とは別に排水口（図示せず）が形成してある。また、浴槽２内に給水を行う給水手段６が設けてあるが、これについては後述する。
【００１５】
洗濯機３が設置される部屋４の壁４０には、取出口４１が形成される。洗濯機３が設置される部屋４は、浴室１に壁４０を介して隣接する更衣室や洗面室が一般的であるが、離れていてもよい。また、洗濯機３が室外に設置される場合には、洗濯機３が設置される近傍の外壁４０に取出口４１が形成される。
【００１６】
そして、上記取水口２１と取出口４１との間に、取水配管５が接続される。取水配管５は、合成樹脂製の可撓管や金属管からなり、床下や壁４０内に配設される。
【００１７】
例えば、浴室１が建物躯体の床、壁４０、天井に囲まれている場合、浴槽２の下方より取水口２１に接続された取水配管５は、浴槽２の下方の床下に埋設されて室外に向けて延伸し、洗濯機３が設置される部屋４の壁４０内に入って壁４０内を上方に延伸し、端部が取出口４１に接続される。
【００１８】
また例えば、浴室ユニットの場合、浴槽２の取水口２１に接続された取水配管５は、床パンの浴槽２下の部分を貫通して、床パン下で且つ躯体の床上の空間に出て、室外に向けて前記空間に這設される。そして、浴室ユニットの壁パネルと躯体の壁との間を上方に延伸し、端部が躯体の壁に貫通形成された取出口４１に接続される。また浴室ユニットの場合でも、床パンを貫通した取水配管５を躯体の床下に埋設したり、洗濯機３が設置される部屋４の壁４０内に入って該壁４０内を上方に延伸してもよい。
【００１９】
また、取水配管５には、ポンプの空運転を検知する空運転検知手段が設けてある。空運転検知手段は、ポンプの電流値が所定値以下であるか否かを検知するものや、取水配管５に設けられ、該取水配管５内の水切れを検知するものが用いられる。水切れを検知するものの場合、一対の電極を取水配管５内に配置して該両電極間の電流を検知したり、あるいは取水配管５が金属管の場合には、一つの電極を取水配管５内に配置して該電極と取水配管５内の電流を検知することで、水の有無を検知する。
【００２０】
洗濯機３にはポンプが内蔵してあり、また、洗濯機３の給水口３１と取出口４１との間には、ホースのような配管３２が接続される。
【００２１】
上記のような装置にあっては、洗濯機３のポンプを駆動することで、取水配管５を介して浴槽２の残り湯を洗濯機３に取り込むことができるが、浴槽２内に残り湯がなくなると、エアがみが発生して、取水配管５内にある残り湯を全て取り込むことができず、残水として残ってしまう。そこで、ポンプの空運転を検知することで、浴槽２内の残り湯がなくなったと判断し、給水手段６により浴槽２に給水が行われる。
【００２２】
給水手段６は、水道等の水源（不図示）に接続されカラン等の吐出口６１に至る配管（不図示）と、配管の途中に設けられる電磁弁（不図示）と、空運転検知手段からの検知信号に基づき電磁弁に開閉信号を送る制御部（不図示）と、を備えている。
【００２３】
そして、空運転検知手段が空運転を検知（好ましくは一定時間継続して検知）すると、前記検知信号を受けて制御部は電磁弁に開信号を送って電磁弁を開き、浴槽２に給水が行われる。この時、少なくとも取水配管５内の容積分の水量を給水する。
【００２４】
浴槽２に給水が行われると、ポンプのエアがみがなくなって取水配管５内の残り湯が全て洗濯機３に取り込まれ、取水配管５内では残り湯が浴槽２に供給された水に置き換わる。
【００２５】
以上のような構成によれば、取水配管５内の残水を清浄な水とすることができ、取水配管５内に残り湯が残ることによって、残り湯中の汚れ成分が取水配管５に付着するのを防止することができる。
【図面の簡単な説明】
【００２６】
【図１】本発明の概略説明図である。
【符号の説明】
【００２７】
１    浴室
２    浴槽
２１  取水口
３    洗濯機
３１  給水口
３２  配管
４    部屋
４０  壁
４１  取出口
５    取水配管
６    給水手段
６１  吐出口
【図１】
2010053543.tif 000003